(57)【要約】【課題】簡易な構成で発射ハンドルの抜け止めが行なえ、かつ防犯性も高めた遊技機用発射ハンドル備えた遊技機を提供する。【解決手段】発射ハンドル１０を枠体５ａに装着する際に、ハンドル軸部１３の後端部１３ａをベース部１７に突き当てて開口部１７ａを係止フック１３ｂが挿通すると、係止アーム１８と係合してハンドル軸部１３が前方側に抜け止めされ、位置規制部１１ｂにより係止フック１３ｂと係止アーム１８の係合状態を維持するように位置規制される。【選択図】図５
2010264003.tif 000002
【特許請求の範囲】
【請求項１】
遊技球を球発射装置から遊技領域へ発射する際に遊技者に操作される遊技機用発射ハンドルが枠体に組み付けられた遊技機であって、
前記発射ハンドルには、前記枠体に組み付けられるハンドル軸部の後端部に突設された係止フックが設けられ、
前記枠体には、前記係止フックが挿通する開口部が形成され、前記ハンドル軸部の後端部が突き当てられて組み付けられるベース部と、
前記ベース部の後面側開口部近傍に設けられ、前記開口部へ前記係止フックを挿通すると係合して前記ハンドル軸部を前方側に抜け止めする係止アームと、
前記係止フックと係止アームの係合状態を維持するように位置規制する位置規制部と、を備えていることを特徴とする遊技機。
【請求項２】
前記ベース部の後方側には配線基板が設けられ、該配線基板を後方から覆う基板カバーが前記枠体に開閉可能に組み付けられており、前記位置規制部は、前記基板カバーに設けられている請求項１記載の遊技機。
【請求項３】
前記位置規制部は、前記基板カバーが枠体に閉鎖状態のとき、前記係止アームの上方側に位置するように形成されている請求項２記載の遊技機。
【請求項４】
前記基板カバーの前面には板金が設けられており、当該板金は前記発射ハンドルの組み付け位置に対応する枠体後面側を覆うように組み付けられている請求項２又は３記載の遊技機。
【請求項５】
前記係止フックは、先端挿入方向から板厚が上方に増す傾斜面を有する係止部を備え、前記係止アームは前記係止部に係止する位置と解除する位置とで回転自在に設けられ、前記ベース部後面に前記係止アームが前記係止フックの傾斜面に接触する位置で下方側に回転することを防止するストッパーが設けられている請求項１ないし４のいずれか１項記載の遊技機。
【請求項６】
前記発射ハンドルの係止フックの下方には、前記発射ハンドルに搭載された電気部品に接続された配線が挿通される貫通孔が形成されている請求項１ないし５のいずれか１項に記載の遊技機。
【発明の詳細な説明】
【技術分野】
【０００１】
本発明は、例えばパチンコ機に用いられる遊技機用発射ハンドルを備えた遊技機に関する。
【背景技術】
【０００２】
パチンコ機の前面枠には球受け皿が設けられており、球受け皿は遊技球を一時的に貯留し、該貯留した遊技球を球発射装置の発射位置へ誘導する。また、前面枠には手前側に突出する遊技機用発射ハンドルが設けられている。この発射ハンドルの操作部材を遊技者が回転操作することにより、球発射装置を作動させ、球受け皿から発射位置に供給された遊技球を駆動源（モータ、ソレノイド等）により駆動する打球槌により打撃して発射レールを通じて遊技領域に向けて発射する。
【０００３】
発射ハンドルの組み付け強度が弱いと当該発射ハンドルが遊技者側に脱落するおそれがある。よって、発射ハンドルは、前面枠の装着部に対してハンドル軸部を挿入してビス止めされて組み付けられる。
【０００４】
発射ハンドルの着脱作業を簡素化するため、発射ハンドルが前後方向に抜け止めされて球皿の当て板に着脱可能に組み付けられる球発射装置が提案されている。発射ハンドルのハンドル軸部にフックを取り付け、当て板及び板金の挿通孔を挿通させ、板金にねじ止めされた止め具をねじを支点として回転させてフックの係合溝に止め具のフック係止部を係止させることで当て板に対して発射ハンドルが前後方向に抜け止めされている（特許文献１参照）。
【先行技術文献】
【特許文献】
【０００５】
【特許文献１】特開２００５−２３７５５８号公報
【発明の開示】
【発明が解決しようとする課題】
【０００６】
しかしながら、上述した特許文献１の発射ハンドルは、当て板と板金と留め具のねじ孔を重ね合わせてねじ止めされているため部品点数が多く組み付け難いうえに、止め具をねじ止め位置から回転させてフック係合部を係合溝と係合させて前後方向の位置規制がされるため、作業に手間取るという課題もある。
【０００７】
また、発射ハンドルには、回転式可変抵抗器若しくはポテンショメータ、タッチセンサ、ストップスイッチなどの電気部品が設けられている。これらの電気部品と遊技機本体（内枠）の背面側に設けられる制御基板と配線接続される。発射ハンドルを前面枠に組み付ける際に配線が他の部材と干渉して破損するおそれがある。
また、前面枠には発射ハンドルの組付け用の孔や配線孔が形成されるため枠体の強度が低下して、かかる組付け孔や配線孔をこじ開けて異物を挿入する不正行為が行なわれるおそれもある。
【０００８】
上記従来技術の課題を解決し、簡易な構成で発射ハンドルの抜け止めが行なえ、かつ防犯性も高めた遊技機用発射ハンドル備えた遊技機を提供することにある。
【課題を解決するための手段】
【０００９】
上記課題を解決し、以下の実施形態で採用される手段は以下の通りである。
遊技球を球発射装置から遊技領域へ発射する際に遊技者に操作される遊技機用発射ハンドルが枠体に組み付けられた遊技機であって、前記発射ハンドルには、前記枠体に組み付けられるハンドル軸部の後端部に突設された係止フックが設けられ、前記枠体には、前記係止フックが挿通する開口部が形成され、前記ハンドル軸部の後端部が突き当てられて組み付けられるベース部と、前記ベース部の後面側開口部近傍に設けられ、前記開口部へ前記係止フックを挿通すると係合して前記ハンドル軸部を前方側に抜け止めする係止アームと、前記係止フックと係止アームの係合状態を維持するように位置規制する位置規制部と、を備えていることを特徴とする。
【００１０】
また、前記ベース部の後方側には配線基板が設けられ、該配線基板を後方から覆う基板カバーが前記枠体に開閉可能に組み付けられており、前記位置規制部は、前記基板カバーに設けられていることを特徴とする。
【００１１】
また、前記位置規制部は、前記基板カバーが枠体に閉鎖状態のとき、前記係止アームの上方側に位置するように形成されていることを特徴とする。
【００１２】
また、前記基板カバーの前面には板金が設けられており、当該板金は前記発射ハンドルの組み付け位置に対応する枠体後面側を覆うように組み付けられていることを特徴とする。
【００１３】
また、前記係止フックは、先端挿入方向から板厚が上方に増す傾斜面を有する係止部を備え、前記係止アームは前記係止部に係止する位置と解除する位置とで回転自在に設けられ、前記ベース部後面に前記係止アームが前記係止フックの傾斜面に接触する位置で下方側に回転することを防止するストッパーが設けられていることを特徴とする。
【００１４】
また、前記発射ハンドルの係止フックの下方には、前記発射ハンドルに搭載された電気部品に接続された配線が挿通される貫通孔が形成されていることを特徴とする。
【発明の効果】
【００１５】
上述した遊技機を用いれば、ハンドル軸部の後端部をベース部に突き当て発射ハンドルを枠体に装着する際に、開口部を係止フックが挿通すると係止アームと係合してハンドル軸部が前方側に抜け止めされ、位置規制部により係止フックと係止アームの係合状態を維持するように位置規制される。
したがって、仮に発射ハンドルの枠体へのビス止めを外されても、発射ハンドルの抜け止め状態が維持されるため、簡易な構成で発射ハンドルを故意に引き抜いた際のハーネスの断線やコネクタの破損を防ぐことができる。また、遊技機を輸送、搬送時に発射ハンドルの係合状態が外れることがないので、格別な梱包がなくても破損等を防ぐことができる。
【００１６】
また、位置規制部は、ベース部の後方側に設けられた配線基板を後方から覆う基板カバーに開閉可能に設けられているので、発射ハンドルを枠体に係止した後、基板カバーを枠体に閉めるだけで係止フックと係止アームの係合状態を維持するように位置規制が行なえるので、発射ハンドルの組み付け作業を簡略化することができるとともに、省スペース化を図ることができる。
【００１７】
また、位置規制部は、基板カバーが枠体に閉鎖状態のとき、係止アームの上方側に位置するように形成されているので、基板カバーを閉めるだけで格別な抜け止め機構を設けることなく、係止アームを位置規制することができる。
【００１８】
また、基板カバーの前面には板金が設けられており、当該板金は発射ハンドルの組み付け位置に対応する枠体後面側を覆うように組み付けられているので、基板カバーに穴をあけ、その穴から異物を挿入したり、発射ハンドルの組付け用の孔や配線接続用の孔から異物を挿入したりする等の不正行為を防ぐことができる。
【００１９】
また、発射ハンドルが枠体に組み付けられる際に、係止アームがストッパーに当接した位置から係止フックの先端挿入方向から板厚が上方に増す傾斜面に沿って係止部との係止を解除する位置まで上方に持ち上げられ、当該傾斜面を乗り越えると自重により係止部と係止する位置まで回転する。よって、発射ハンドルを枠体に組み付けるだけで係止フックと係止アームが係合状態となるので、ハンドル軸部が簡易な構成で抜け止めされる。
【００２０】
また、係止フックの下方には、発射ハンドルに搭載された電気部品に接続された配線が挿通される貫通孔が形成されているので、発射ハンドルを枠体に組み付ける際に配線が係止フック等と干渉することなく組み付けることができる。
【図面の簡単な説明】
【００２１】
【図１】パチンコ機の斜視図である。
【図２】パチンコ機の前面枠を開放した状態の斜視図である。
【図３】発射ハンドルの分解斜視図である。
【図４】発射ハンドルの後方斜視図である。
【図５】前面枠の発射ハンドル装着部の背面図及び矢印Ａ−Ａ方向断面図である。
【図６】抜け止め部の拡大斜視図である。
【図７】発射ハンドル装着前の前面枠背面図である。
【図８】発射ハンドル装着途中の前面枠背面図である。
【図９】発射ハンドル装着後の前面枠背面図である。
【発明を実施するための形態】
【００２２】
以下、本発明の実施形態について図面を参照しながら具体的に説明する。
図１及び図２を参照して本実施形態に係る遊技機の概略構成について説明する。本実施例としては、遊技機の一例としてパチンコ機について説明するものとする。
先ずパチンコ機１の概略構成について説明する。図１において、パチンコ機１の外形をなす外枠２に対して図示しないヒンジ部により内枠３が開閉可能に取り付けられ、該内枠３の前面を覆う前面枠５がヒンジ部４を中心に開閉可能に取り付けられている。
【００２３】
図２において、内枠３にはガイドレール８によって全体として円形の遊技領域が形成される遊技盤６が設けられると共に該遊技盤６の下方には遊技領域へ向かって遊技球を発射する球発射装置７が組み付けられている。
【００２４】
また、図１において、前面枠５の下方には貸球や賞球等の遊技球を一時的に貯留し、該遊技球を球発射装置７（図２参照）へ誘導する球受け皿９が一体に設けられている。球受け皿９の右側には、球発射装置７によって遊技領域へ発射される遊技球の発射力を調節するための発射ハンドル１０が設けられている。図２において、発射ハンドル１０が装着された前面枠５の背面側には、基板カバー１１が開閉可能に組み付けられている。基板カバー１１は、後述する発射ハンドル１０の電気部品（回転式可変抵抗器若しくはポテンショメータ、タッチセンサ、ストップスイッチなど）と配線接続される中継基板２０を後方から覆っている。
内枠３の背面側上部には貯留タンク１２が設けられ、貯留タンク１２にはパチンコ機１が配置されたホールの島から遊技球が供給されるようになっている。
【００２５】
次に発射ハンドル１０の構成について図３乃至図６を参照して説明する。
図３において、発射ハンドル１０は、前面枠５の枠体５ａ（図５（ｂ）参照）に装着されるハンドル軸部１３、遊技者が回転操作する操作部材１４、キャップ１５が一体に組み付けられている。
発射ハンドル１０は、前面枠５の枠体５ａに対してハンドル軸部１３がビス１６により止めされて組み付けられる（図５（ｂ）参照）。
【００２６】
図３及び図４に示すように、ハンドル軸部１３の手前側には、操作部材１４が当該ハンドル軸部１３に対して予め定められた回転基準位置から所定範囲で回転可能に軸支されている。操作部材１４は導電性を有しており（例えば樹脂材をめっきコーティングされている）、その外周部には把持したまま回動（正逆いずれの方向へ回転）できるように複数の指掛突起１４ａが設けられている。操作部材１４の前面側はキャップ１５により覆われている。操作部材１４の回転中心には当該操作部材１４の回転基準位置からの回転量を検出する図示しないポテンショメータ若しくは可変抵抗器、タッチセンサ、ストップスイッチなどの電気部品が設けられている。
また、図４に示すように、ハンドル軸部１３と操作部材１４との境界部には、遊技球の発射を停止するストップレバー２２が設けられている。
【００２７】
図４において、ハンドル軸部１３の後端部１３ａには係止フック１３ｂが突設されている。係止フック１３ｂの先端部には先端挿入方向から板厚が増す傾斜面１３ｃを有する係止部１３ｄが形成されている（図５（ｂ）参照）。
また、図３に示すベース部１７は、図５（ｂ）に示すように前面枠５の枠体５ａに一体に組み付けられる。ベース部１７には、係止フック１３ｂが挿通する開口部１７ａが形成されている。ベース部１７の前面１７ｄには、開口部１７ａの近傍にリブ１７ｅが突設されている。発射ハンドル１０は、ハンドル軸部１３の後端部１３ａがリブ１７ｅに突き当てられて組み付けられる。このリブ１７ｅは、発射ハンドル１０から中継基板２０へ接続される配線２３（図５（ｂ）参照）が、開口部１７ａを通過する際の広がり（ばらつき）を規制している。
【００２８】
また、図４に示すように、係止フック１３ｂの下方には、発射ハンドル１０に搭載された電気部品に接続された配線２３（図５（ｂ）参照）が挿通される貫通孔１３ｅが形成されている。これにより、図５（ｂ）において、発射ハンドル１０を枠体５ａに組み付ける際に配線２３が係止フック１３ｂ等と干渉することなく組み付けることができ、配線２３を開口部１７ａに挿通させて後方側へ引き出して中継基板２０の端子台２０ａと配線接続することができる。
【００２９】
図３において、ベース部１７の後面側開口部１７ａ近傍には係止アーム１８がビス１９を中心に係止フック１３ｂの係止部１３ｄに係止する位置と解除する位置とで回転自在に組み付けられる。係止アーム１８の先端側には、係止フック１３ｂの係止部１３ｄと係止する係止部１８ａが下辺側に形成されている。係止アーム１８は、後述するように開口部１７ａに係止フック１３ｂが挿通すると持ち上げられて係止部１３ｄと係止してハンドル軸部１３を前方側に抜け止めする。
【００３０】
図５（ａ）に示すようにベース部１７の後面１７ｃにはストッパー１７ｂが突設されている。このストッパー１７ｂは、係止アーム１８が開口部１７ａの一部（上方側）を塞ぐ位置であって、かつ係止アーム１８が係止フック１３ｂの傾斜面１３ｃに接触する位置で下側へ回転するのを防止する。係止フック１８の開口部１７ａの挿入動作に伴って係止アーム１８は傾斜面１３ｃに沿ってストッパー１７ｂから離間する向きに（係止アーム１８を持ち上げるように）回転させ、当該係止アーム１８が傾斜面１３ｃを乗り越えると自重によりストッパー１７ｂに当たるまで回転して、係止フック１３ｂを抜け止めするようになっている。
【００３１】
また、図５（ａ）に示すようにベース部１７の後面１７ｃ（後方側）には、中継基板２０（配線基板）が組み付けられる。中継基板２０は、発射ハンドル１０の内部に設けられた電気部品とパチンコ機本体側の制御基板とを配線接続するために設けられる。また、図３に示すように中継基板２０は、板金２１が前面に設けられた基板カバー１１で覆われる。基板カバー１１は前面枠５の後面側に開閉可能に組み付けられる。
【００３２】
図６において、基板カバー１１の前面１１ａには、リブ１１ｂ（位置規制部）が突設されている。このリブ１１ｂは、係止フック１３ｂと係止状態にある係止アーム１８の上方位置まで延設されている。基板カバー１１を前面枠５の後面に閉じた状態で、リブ１１ｂが係止アーム１８の上方側に位置するように形成されている。発射ハンドル１０を枠体５ａに装着した後（図５（ｂ）参照）、係止フック１３ｂと係止アーム１８が係合状態にあることを確認してから、基板カバー１１を枠体５ａに確実に閉めることができる。また、リブ１１ｂが係止アーム１８の浮き上がり方向への回転を規制して、係止フック１３ｂと係止アーム１８の係合状態を維持するので、基板カバー１１を閉めるだけで格別な抜け止め機構を設けることなく、係止アーム１８を位置規制してハンドル軸部１３の抜脱を防止することができる。
【００３３】
次に、発射ハンドル１０の枠体５ａへの組み付けに伴う係止アーム１８の動作について図７乃至図９を参照して説明する。図７乃至図９は基板カバー１１及び板金２１を省略したベース部１７を後面１７ｃ側からみた後面図である。尚、発射ハンドル１０の組み付けに先立って、前面枠５を内枠３より開放し、前面枠５の後面の基板カバー１１を開放した状態にしておく。
【００３４】
図７は、前面枠５に対して前方からハンドル軸部１３を挿入開始し、未だ係止フック１３ｂが開口部１７ａに届いていない状態（発射ハンドル１０を組み付ける前の状態）を示す。係止アーム１８はビス１９を中心に回転自在に組み付けられているが、ベース部１７の開口部１７ａの一部（上方側）を塞ぎ係止フック１３ｂの傾斜面１３ｃに接触し得る位置でストッパー１７ｂに当接して下方へ回転せずに回転停止している。
【００３５】
図８は、ハンドル軸部１３の後端部１３ａに突設された係止フック１３ｂが開口部１７ａへ挿通し始めた状態を示す。係止フック１３ｂの傾斜面１３ｃが開口部１７ａに進入すると、係止アーム１８の係止部１８ａが傾斜面１３ｃに沿って上方に持ち上げられる。即ち、係止アーム１８は開口部１７ａより離間する向き（図７の時計回り方向）へ回転する。
【００３６】
そして、係止アーム１８の係止部１８ａが傾斜面１３ｃを乗り越えると、自重により図９の反時計回り方向に回転して係止部１３ｄと係止アーム１８の係止部１８ａが係止して抜け止めされる（図６（ａ）（ｂ）参照）。このとき、係止アーム１８は、ストッパー１７ｂに当接しており、ハンドル軸部１３の後端部１３ａは、ベース部１７の前面に突き当てられて発射ハンドル１０が組み付けられる。
【００３７】
係止アーム１８は、図９の時計回り方向に自由に回転できる状態であるが、図６に示すように、前面枠５の後面側に開放されていた基板カバー１１を閉じると、リブ１１ｂが係止アーム１８の上方に配置されるため、係止アーム１８の回動（正逆いずれの方向へも回転）が規制（位置規制）される。この状態で、前面枠５を内枠３に閉じ枠体５ａからハンドル軸部１３にビス１６を螺締すると、発射ハンドル１０の組み付けが完了する。
したがって、仮に発射ハンドル１０のハンドル軸部１３へのビス１６を外されても、係止アーム１８がリブ１１ｂによって位置規制されていることにより発射ハンドル１０の抜け止め状態が維持されるため、簡易な構成で発射ハンドル１０を故意に引き抜いた際のハーネスの断線やコネクタの破損を防ぐことができる。また、パチンコ機１を輸送、搬送時に発射ハンドル１０の係合状態が外れることがないので、格別な梱包がなくても破損等を防ぐことができる。
【００３８】
尚、中継基板１９へのパチンコ機本体からの配線接続（図示せず）は、前面枠５を開放して基板カバー１１を開放することで行なわれる。基板カバー１１の前面１１ａには板金２０が設けられているので（図５（ｂ）参照）、基板カバー１１に穴をあけ、その穴から異物を挿入したり、発射ハンドル１０の組付け用の孔や配線接続用の孔から異物を挿入したりする等の不正行為を防ぐことができる。
【００３９】
また、発射ハンドル１０を前面枠５から取り外す場合には、枠体５ａにビス止めされているビス１６（図５（ｂ）参照）を外すとともに前面枠５を内枠３から開放する（図２参照）。次いで、基板カバー１１を開放して、配線２３と中継基板２０との接続を取り外した後、係止アーム１８を手動で持ち上げて係止フック１３ｂとの係合を解除したままハンドル軸部１３をベース部１７より手前側に引き抜くことで取り外すことができる。
【００４０】
なお、実施例に示した内容に限定されるものではなく、この発明の要旨を逸脱しない範囲で、種々の形態を実施し得るものである。例えば位置規制部を開閉自在に設けた中継基板２０を覆う基板カバー１１に設けるようにしたが、位置規制部を備えた部材を前面枠５に着脱自在に設けるようにしてもよい。
【００４１】
上述した発射ハンドル１０は、パチンコ機１に備えたものについて説明したが、他の遊技機、例えば雀球遊技機やアレンジボール遊技機などに備えてもよい。
【符号の説明】
【００４２】
１  パチンコ機
２  外枠
３  内枠
４  ヒンジ部
５  前面枠
５ａ  枠体
６  遊技盤
７  球発射装置
８  ガイドレール
９  球受け皿
１０  発射ハンドル
１１  基板カバー
１１ａ  前面  
１１ｂ  リブ  
１２  貯留タンク
１３  ハンドル軸部
１３ａ  後端部
１３ｂ  係止フック
１３ｃ  傾斜面
１３ｄ  係止部
１４  操作部材
１４ａ  指掛突起
１５  キャップ
１６，１９  ビス  
１７  ベース部  
１７ａ  開口部  
１７ｂ  ストッパー  
１７ｃ  後面  
１７ｄ  前面
１７ｅ  リブ
１８  係止アーム  
２０  中継基板  
２０ａ  端子台
２１  板金  
２２  ストップレバー
２３  配線
【図１】
2010264003.tif 000003
【図２】
2010264003.tif 000004
【図３】
2010264003.tif 000005
【図４】
2010264003.tif 000006
【図５】
2010264003.tif 000007
【図６】
2010264003.tif 000008
【図７】
2010264003.tif 000009
【図８】
2010264003.tif 000010
【図９】
2010264003.tif 000011